(57)【要約】【課題】ダクト式照明システムにおいて、低コストな構成でありながら、ユーザの感電を防止し、しかもシステム設置箇所の外観を維持できるようにする。【解決手段】ダクト式照明システム１は、ダクト２と、このダクト２にスライド可能に支持される照明器具４と、照明器具４の受電部４１に電力を供給する給電部５とを備える。ダクト２は、照明器具４を支持するための開口２１を有し、この開口２１と反対側が建築基材Ｐ側に臨むように取り付けられる。給電部５は、受電部４１に対して電磁誘導により非接触にて給電する構成であって、ダクト２の開口２１と反対側に配置される。ダクト２の開口４１によって照明器具４を支持し、給電部５をダクト２を隔てて照明器具４の反対側に配置したので、給電部５への電源用の配線を建築物から露出しないように配設できる。【選択図】図２
2011029067.tif 000002
【特許請求の範囲】
【請求項１】
ダクトと、このダクトにスライド可能に支持される照明器具と、前記照明器具の受電部に電力を供給する給電部と、を備えたダクト式照明システムにおいて、
前記ダクトは、前記照明器具を支持するための開口を有し、この開口と反対側が建築物に臨むように取り付けられ、
前記給電部は、前記受電部に対して電磁誘導により非接触にて給電する構成であって、前記ダクトの開口と反対側に配置されることを特徴とするダクト式照明システム。
【発明の詳細な説明】
【技術分野】
【０００１】
本発明は、ダクトに沿って照明器具をスライドさせることが可能なダクト式照明システムに関する。
【背景技術】
【０００２】
従来から、この種のシステムとして、照明器具の受電部に対して電磁誘導により非接触にて電力を供給する給電部を有したものが知られている。例えば、このようなシステムにおいて、照明器具の位置調整を容易に行えるよう、照明器具をダクトに対しスライド可能な基台部分とこの基台部分に対し脱着可能な本体部分とに分割し、基台部分に給電部を内装し、本体部分に受電部を内装する構成がある（例えば、特許文献１参照）。
【先行技術文献】
【特許文献】
【０００３】
【特許文献１】特開平１０−１８４２５３号公報
【発明の概要】
【発明が解決しようとする課題】
【０００４】
しかしながら、上述したような従来の構成においては、給電部に接続される電源用の配線がダクトの基台部分支持側に露出するため、ユーザが感電しないように配線をカバーで覆う必要があり、コストアップを招来していた。また、このようなカバーを設けることでシステムが設置される建築物の見た目が悪くなっていた。
【０００５】
本発明は、上記問題を解決するためになされたものであり、低コストな構成でありながら、ユーザの感電を防止でき、しかもシステム設置箇所の外観を維持できるダクト式照明システムを提供することを目的とする。
【課題を解決するための手段】
【０００６】
上記目的を達成するために請求項１の発明は、ダクトと、このダクトにスライド可能に支持される照明器具と、前記照明器具の受電部に電力を供給する給電部と、を備えたダクト式照明システムにおいて、前記ダクトは、前記照明器具を支持するための開口を有し、この開口と反対側が建築物に臨むように取り付けられ、前記給電部は、前記受電部に対して電磁誘導により非接触にて給電する構成であって、前記ダクトの開口と反対側に配置されるものである。
【発明の効果】
【０００７】
請求項１の発明によれば、ダクトの開口によって照明器具を支持し、給電部をダクトを隔てて照明器具の反対側に配置したので、給電部への電源用の配線を建築物から露出しないように配設できる。従って、感電防止のために配線にカバー等を設ける必要がなく低コストとなり、しかも、本システムの設置箇所の外観を維持できる。また、システムの防水性が確保されるので、浴室や洗面、キッチン等の水廻りや、雨水に晒される屋外等に本システムを使用できる。また、ダクトを建築物に設置する際、ダクトに給電部を取り付けておけば、本システムの施工作業を簡単に行える。
【図面の簡単な説明】
【０００８】
【図１】本発明の一実施形態に係るダクト式照明システムの断面図。
【図２】上記システムの斜視図。
【図３】（ａ）は上記システムを屋内の天井部分に設置したときの外観図、（ｂ）は同システムを浴室の内壁部分に設置したときの外観図、（ｃ）は同システムを家屋の外壁部分に設置したときの外観図。
【図４】（ａ）は上記システムの建築物への取り付けの一態様を示す断面図、（ｂ）は上記態様の斜視図。
【発明を実施するための形態】
【０００９】
本発明の一実施形態に係るダクト式照明システムについて図１乃至図３を参照して説明する。図１、図２は本実施形態に係るダクト式照明システム（以下、本システムという）１の構成を示す。本システム１は、建築物の天井や壁、床等に設置されるものであって、これらを形成する板状の建築基材Ｐに延設されるレール状のダクト２を有したダクトユニット３と、ダクト２にスライド可能に支持される照明器具４と、照明器具４に実装される受電部４１に電力を供給する給電部５とを備える。ここに、給電部５は、受電部４１に対して電磁誘導により非接触にて給電する構成とされている。
【００１０】
ダクトユニット３は、建築基材Ｐにダクト２を取り付けるためのフレーム６を有している。フレーム６は、ダクト２をその長手方向に沿って内包するよう開口された溝部６１と、溝部６１の両縁から外向きに延出する鍔部６２を有し、溝部６１が建築基材Ｐの表側に向くように建築基材Ｐに貫設され、鍔部６２が建築基材Ｐとビス止めされる。ここで、本実施形態においては、フレーム６の一部が建築基材Ｐの裏面から突出している。ダクト２は、照明器具４を支持するための開口２１を有し、この開口２１と反対側が建築基材Ｐ側に臨むようにフレーム６の溝部６１内に取り付けられ、フレーム６とビス止めされる。開口２１は、ダクト２の長手方向に沿って貫通形成され、断面略Ｔ字形の空間を持つ溝形状とされている。ダクト２は、照明器具４を支持可能な強度を有していれば、その材質は特に限定されないが、受電部４１と給電部５との間の電磁誘導を妨げないよう樹脂材料により形成されることが好ましい。
【００１１】
照明器具４は、スポットライト型の器具であって、上述の受電部４１の他に、光源４２と、光源４２を点灯させるための点灯回路部４３と、本器具の外郭をなす筐体４４とを有している。光源４２の種類は、特に限定されるものでなく、例えば、白色蛍光灯や白熱灯、高輝度放電灯、発光ダイオード、有機ＥＬ等である。受電部４１は、給電部５に内蔵される１次側コイルとの電磁結合により電力を受電する２次側コイルを内蔵している。点灯回路部４３は、受電部４１とリード線４５により接続されており、受電部４１により受電された電力を光源４２に伝送する。筐体４４は、光源４２を覆い光源４２からの光を出射させる開口が形成されたハウジング部４４ａと、受電部４１を収用する空間を有したベース部４４ｂと、ハウジング部４４ａとベース部４４ｂとを繋ぐ軸部４４ｃで構成される。ベース部４４ｂは、軸部４４ｃと反対側に突設されダクト２の開口２１と係合する係合片４４ｄを有している。係合片４４ｄは、開口２１の断面略Ｔ形状に沿うよう段付き円筒状に形成されており、これにより、照明器具４が建築基材Ｐに対し垂直な軸周りに回動可能となると共に、ダクト２に対して容易に脱着可能となる。ここで、ベース部４４ｂには、ダクト２と同様に樹脂材料を用いることが好ましい。軸部４４ｃのハウジング部４４ａとの連結部分には、ハウジング部４４ａの取り付け角度を変更するための首振り機構７が設けられている。なお、ハウジング部４４ａの内面は、光源４２からの光を効率よく出射できるよう反射膜で覆われていてもよい。
【００１２】
給電部５は、ダクト２の開口２１と反対側に配置されており、ケース９に収用されてダクト２の長手方向に沿って延在している。ここでは、給電部５は、フレーム６の建築基材Ｐから突出した部分にケース９と共に取り付けられており、商用電源と電源線８により接続される。ケース９内には、商用電源からの交流電圧を整流する整流回路や、整流回路により整流された直流電圧を交流電圧に変換して給電部５内蔵の１次側コイルに印加するインバータ回路等が設けられている。ここで、ケース９は、上述のように樹脂材料を用いて形成するとよい。
【００１３】
上記のように構成されるダクト式照明システムの設置例について図３を参照して説明する。図３（ａ）に示す設置例では、屋内の天井部分を形成する建築部材Ｐ１にダクト２を取り付けており、このダクト２に１台の照明器具４を支持させ、ダクト２を隔てて天井裏に給電部５を配置している。図３（ｂ）に示す設置例では、浴室の内壁部分を形成する建築部材Ｐ２にダクト２を取り付け、このダクト２に２台の照明器具４を支持させ、ダクト２を隔てて壁裏に給電部５を配置している。図３（ｃ）に示す設置例では、家屋の外壁部分を形成する建築部材Ｐ３にダクト２を取り付け、このダクト２に２台の照明器具４を支持させ、ダクト２を隔てて壁裏に給電部５を配置している。
【００１４】
このように本実施形態に係るダクト式照明システム１によれば、ダクト２の開口２１によって照明器具４を支持し、給電部５をダクト２を隔てて照明器具４の反対側に配置したので、給電部５への電源用の配線を建築物から露出しないように配設できる。従って、感電防止のために電源線８にカバー等を設ける必要がなく低コストとなり、しかも、本システム１の設置箇所の外観を維持できる。また、システムの防水性が確保されるので、浴室や洗面、キッチン等の水廻りや、雨水に晒される屋外等に本システム１を使用できる。また、ダクト２を建築物に設置する際、ダクト２に給電部５を取り付けておけば、本システム１の施工作業を簡単に行える。
【００１５】
なお、本発明は、上記実施形態の構成に限られず、発明の趣旨を変更しない範囲で種々の変形が可能である。例えば、図４（ａ）に示すように、ダクト２が埋設された建築基材Ｐの表面を、ダクト２の開口２１を除いて化粧材１０で覆うようにしてもよい。この場合、図４（ｂ）に示すように、ダクト２の設置箇所が目立たなくなり、美観性が向上する。また、照明器具４は上記のようなスポットライト型に限られず、直管型の光源を収用した長尺な形状の照明器具であってもよい。
【符号の説明】
【００１６】
１  ダクト式照明システム
Ｐ  建築基材（建築物）
２  ダクト
２１  開口
４  照明器具
４１  受電部
５  給電部
【図１】
2011029067.tif 000003
【図２】
2011029067.tif 000004
【図３】
2011029067.tif 000005
【図４】
2011029067.tif 000006